(57)【特許請求の範囲】
【請求項１】
車輌の機能のために本質的な部品（１１）のロックおよび／またはアンロックのためのロック装置（１０）であって、
より好ましくは機能のために本質的な部品（１１）へのロック装置（１０）の取り付けのために働く、筐体（１２）と、
少なくとも２つの位置、即ち、ロック部材（１５）が開口部（１３）を通して筐体（１２）から突出して機能のために本質的な部品（１１）と能動的に連結されたロック位置（Ｉａ）と、ロック部材（１５）が機能のために本質的な部品（１１）と能動的に連結されていないアンロック位置（Ｉｂ）と、を取ることができる、可動ロック部材（１５）と、
ロック装置（１０）が許可なしに開けられた場合にロック位置（Ｉａ）にあるロック部材（１５）を拘束位置（ＩＩＩａ）において拘束する、拘束部（１８）とを有し、
拘束部（１８）は拘束位置（ＩＩＩａ）に留まるように嵌め合わされて相互に連結されて保持されることを特徴とする、ロック装置（１０）。
【請求項２】
拘束部（１８）は拘束位置（ＩＩＩａ）においてロック部材（１５）と直接的に、または、ロック部材（１５）を駆動する制御エレメント（１７）を介して間接的に、機械的な相互作用をすることを特徴とする、請求項１記載のロック装置（１０）。
【請求項３】
ロック装置（１０）の外部から部分的にアクセス可能なエレメント（１４）が少なくとも存在し、それはアクセス可能なエレメント（１４）の無許可の除去の際には、拘束部（１８）がロック部材（１５）をロック位置（Ｉａ）に保持するその拘束位置（ＩＩＩａ）を取るように、拘束部（１８）と機械的な相互作用をすることを特徴とする、請求項１または２記載のロック装置（１０）。
【請求項４】
外部から部分的にアクセス可能なエレメント（１４）は、ロックシリンダー、閉止部であって、筐体蓋または筐体の半分、または電気的接続接触部からなることを特徴とする、請求項３記載のロック装置（１０）。
【請求項５】
エレメント（１４）は安全部（２１）を介して拘束部（１８）と少なくとも機械的な相互作用をし、
ここで、アクセス可能なエレメント（１４）がその使用を通じた条件下での配置に位置しており、休止位置（ＩＩａ）にある安全部（２１）がそこでロック部材（１５）が筐体（１２）内に可動に配置される開放位置（ＩＩＩｂ）において拘束部（１８）を保持していれば、アクセス可能エレメント（１４）は安全部（２１）をその休止位置（ＩＩａ）において保持し、
ここで、外部からアクセス可能なエレメント（１４）の無許可の除去は、安全部（２１）が休止位置（ＩＩａ）から安全オフ位置（ＩＩｂ）へ移動し、その結果拘束部（１８）が開放位置（ＩＩＩｂ）から拘束位置（ＩＩＩａ）へ変化し、その結果ロック部材（１５）がロック位置（Ｉａ）において拘束される結果となることを特徴とする、請求項３または４記載のロック装置（１０）。
【請求項６】
安全部（２１）は、外部から部分的にアクセス可能なエレメント（１４）内にあるか、それと一体化されているか、その上に恒久的に配置されていることを特徴とする、請求項５記載のロック装置（１０）。
【請求項７】
安全部（２１）は、安全プレートまたは安全ワイヤとして展開されていることを特徴とする、請求項５または６記載のロック装置（１０）。
【請求項８】
拘束部（１８）は、ばね（１９，２２）によるばね力を受けており、その結果ロック装置（１０）が許可なしに開かれた場合に開放位置（ＩＩＩｂ）から拘束位置（ＩＩＩａ）への変化が起こることを特徴とする、請求項１から７のいずれか一つに記載のロック装置（１０）。
【請求項９】
拘束部（１８）は、一つのピースおよび／または同じ材料のものとしてばね（１９）または脚ばね（２２）の一部であり、その結果組み合わされた拘束部（１８，１９）の開放位置（ＩＩＩｂ）から拘束位置（ＩＩＩａ）への独立した変化が達成可能であることを特徴とする、請求項８記載のロック装置（１０）。
【請求項１０】
組み合わされた拘束部（１８，１９）は、突出部（２０．４）を通じて拘束位置（ＩＩＩａ）に留まるように相互に嵌め合わされて連結されて保持されており、ここで突出部（２０．４）はスライドおよび保持領域（２０．４ａ,ｂ）からなることを特徴とする、請求項９記載のロック装置（１０）。
【請求項１１】
組み合わされた拘束部（１８，１９）は、少なくとも２つの脚、即ち第一および第二の脚（２２．１,  ２２．２）からなり、ここで組み合わされた拘束部（１８，１９）の第二の脚（２２．２）はロック部材（１５）をロック位置（Ｉａ）において拘束し、第一の脚（２２．１）は組み合わされた拘束部（１８，１９）の第二の脚（２２．２）を拘束位置（ＩＩＩａ）に留まるように嵌め合わされて相互に連結して保持することを特徴とする、請求項９または１０記載のロック装置（１０）。
【請求項１２】
拘束位置（ＩＩＩａ）における拘束部（１８）は停止手段（２０．２）に留まるように嵌め合わされて相互に連結することを特徴とする、請求項１から１１のいずれか一つに記載のロック装置（１０）。
【請求項１３】
開放位置（ＩＩＩｂ）から拘束位置（ＩＩＩａ）に変化する時の拘束部（１８）は、停止手段（２０．２）の背後でずらされ、拘束部（１８）の対向停止手段（１８．４）に留まるように嵌め合わされて相互に連結することを特徴とする、請求項１２記載のロック装置（１０）。
【請求項１４】
停止手段（２０．２）は、筐体（１２）に連結されているかまたは筐体（１２）の一部を形成することを特徴とする、請求項１２または１３記載のロック装置（１０）。
【請求項１５】
拘束部（１８）は軸受けエレメント（２０）内にずらすことができるように保持されており、ここでオプションとしてガイドエリア（２０．１）が設けられていることを特徴とする、請求項１から１４のいずれか一つに記載のロック装置（１０）。
【請求項１６】
拘束部（１８）は、ばね（１９）または脚ばね（２２）を通して拘束位置（ＩＩＩａ）に留まるように嵌め合わされて相互に連結されて保持されており、ここでこの位置におけるばねの一部（２２．２）は突出部（２０．４）の背後に留まるように嵌め合わされて相互に連結されて保持されていることを特徴とする、請求項１から１５のいずれか一つに記載のロック装置（１０）。
【請求項１７】
拘束位置（ＩＩＩａ）における拘束部（１８）は、拘束部（１８）上に配置され少なくとも対向係合手段（２０．５）に留まるように嵌め合わされて相互に連結する係合手段（１８．５）を少なくとも通して保持されていることを特徴とする、請求項１から１６のいずれか一つに記載のロック装置（１０）。
【請求項１８】
係合手段（１８．５）は、対向係合手段（２０．５）としてのスケール状の切落しに留まるように嵌め合わされて相互に連結する斜面形状の肩部として展開されていることを特徴とする、請求項１７記載のロック装置（１０）。
【請求項１９】
ばね力（１９）を使った拘束部（１８）は、少なくとも拘束位置（ＩＩＩａ）の領域において移動方向（２０．１０）の方に傾けられることができることを特徴とする、請求項８から１８のいずれか一つに記載のロック装置（１０）。
【請求項２０】
ばね力（１９）の少なくとも一部は、移動スペース（２０．７）の軸（２０．８）の周りで拘束部（１８）を傾けるために、拘束部（１８）に働くことを特徴とする、請求項１９記載のロック装置（１０）。
【請求項２１】
拘束部（１８）の移動スペース（２０．７）の一端に斜面（２０．９）が配置されていることを特徴とする請求項１９または２０記載のロック装置（１０）。
【発明の詳細な説明】
【技術分野】
【０００１】
本発明は、機能のために本質的な部品、より好ましくは請求項１の前文に従った車輌のステアリングコラムまたはギヤシフトレバーなどのようなもののロックおよび／またはアンロックのためのロック装置に関する。そのようなロック装置は、可動なロック部材の嵌め合いによる相互の連結（形状嵌め）および／または嵌め合いによる相互の連結ではないやり方によって、機能のために本質的な部品を安全な状態にロックすることで、車輌を盗難から守るように働く。この理由で、車輌を盗難および／または許可なしの利用から守ることが行われる。ロック部材自体はメカニズム、モーターまたは磁石を介して直接または間接的に駆動または稼動させることができる。加えて、本発明はロック部材の特定の駆動に向けられてはいない。
【背景技術】
【０００２】
欧州特許公報第１１８２１９４号明細書が従来技術から知られており、もしロック装置の筐体が力ずくで開かれると追加の安全ピンによってロック部材を保つことができるようなロック装置が開示されている。ここで、安全ピンはばね力によってロック部材のくぼみに押し込まれてロック部材を停止する。この位置において、安全ピンは更に保たれはしないので、ロック装置への横からの突然の一撃を通してロック部材の保護を克服することができる。全体として、既知のロック装置は複雑で高価な構造を有している。
【発明の開示】
【０００３】
従って、本発明の目的は、特に安全に、より好ましくはこじ開ける試みに対して開発された、車輌の機能のために本質的な部品のロックおよび／またはアンロックのためのロック装置を作り出すことにある。
【０００４】
この課題を解決するために、請求項１の技術的特徴を持った装置が提案され、これは以下のような特別な意義を有している。
【０００５】
本ロック装置によって、ロック装置が許可なしにまたは力ずくで開けられた場合には、既存のロック部材は拘束部を介して拘束される。これは、ロック装置に入り込むまたはこのようにしてロック部材のマニピュレーションとアンロックをもたらすために筐体内部に入り込む試みが許可されていない第三者によって外部からなされることを意味する。ロック装置の言及されたロック部材自体は、少なくとも２つの位置、即ち、ロック部材が開口部を通してロック装置の筐体から突出して機能のために本質的な部品と能動的に連結されたロック位置と、言及されたロック部材が機能のために本質的な部品と能動的に連結されておらずそれが機能に応じて利用できるアンロック位置と、を取ることができる。このようにして、ロック部材は例えば車輌の利用または盗難を防ぐために車輌内で機能のために本質的な部品として働くステアリングコラムまたはギヤシフトレバーなどをロックする。これと対照的に、例えば、ステアリングコラムはロック部材のアンロック位置において自由に使うことができて、車両は運転の準備ができたものとなる。もしここでロック装置を開ける試みが許可されていない第三者によって外部からなされると、ロック部材のそのロック位置への最終的拘束が起こる。このために、拘束部はその拘束位置を取る。発明によると、拘束部は拘束位置に（閉じられた形で）留まるように嵌め合わされて相互に連結されて保持されるので、ロック装置上への外部的な（力の）作用は拘束部の嵌め合いによる相互の連結を解除するのに十分ではない。この対策を通じて、（一撃および／または引張りなどの）外部的影響はロック装置の安全に保つ効果を克服できず、機能のために本質的な部品は利用不能にロックされたままとなる。拘束部自体は拘束位置に直接的または間接的に留まるように嵌め合わされて相互に連結して保持することができる。それが拘束位置に間接的に保持されていれば、それを通じて嵌め合いによる相互の連結を実効的にする追加の部品またはエレメントが使われる。
【０００６】
発明によるロック装置の実用的な展開は従属する請求項において特定される。
【０００７】
発明による装置の特定の展開によって、拘束部はロック部材と直接的に機械的な相互作用をすることが提供される。従って、ロック部材は拘束部によってずらすことができないやり方でロック位置に直接的に保持される。ロック部材の拘束部が、より好ましくはロック部材を駆動する制御エレメントによって、間接的に保持されることも考えられる。よって、拘束部はロック部材上に直接的には働かず、追加のエレメントを介して、より好ましくは制御エレメント通じて間接的に働く。両方の実施形態、即ちロック部材の直接的および間接的な保持によって、その相手側を持った拘束部は、ロック部材をロック位置に拘束する嵌め合いによる相互の連結および／または好ましくは嵌め合いによるものではない連結に入ることができる。このために、拘束部自体はその拘束位置を取る。
【０００８】
発明の更なる実用的な展開によって、拘束部はロック装置の筐体内にカプセル化された形で収容されて、拘束部はもはや拘束位置の外に外部から動かすことができないことが提供される。寧ろ、ロック装置を力ずくで開けることに続いて、ロック部材のロック位置とよって機能のために本質的な部品の開放をもたらすために、ロック装置は完全に破壊されなければならない。拘束部を筐体内にカプセル化された形で収容するために、拘束部がずらすことができるように保持される、追加の軸受けエレメントを設けることが出来る。よって、拘束部はロック装置内部の別の内部筐体に擬似的に配置され、ここで軸受けエレメントは内部筐体の一部を構成できる。この文脈では、軸受けエレメントの少なくとも一部または一側面はロック装置の筐体と一つのピースに展開されることも同様に考えられる。高いこじ開けセキュリティを保証するために、拘束部と軸受けエレメントとロック装置の筐体は軽金属または鋳造合金、より好ましくはアルミニウム鋳造合金からなることができる。こじ開けの試み中、力は拘束部に直接働くのではなく寧ろロックされた機能のために本質的な部品とロック部材に働くので、拘束部自体は例えばインジェクション成形されたプラスチック部および／またはガラスファイバー補強されたプラスチック部からなることもできる。
【０００９】
発明によるロック装置の特定の例示的実施形態によって、ロック装置は少なくとも外部から部分的にアクセス可能なエレメントを、より好ましくはロックシリンダー、筐体蓋、筐体の半分、または接続接触部の形で有している。この外部からアクセス可能なエレメントは、それを通じてマニピュレーションが成功裡に防がれたロック装置の筐体内部での望ましくないまたは許可されていない干渉を防ぐ。外部からアクセス可能なエレメントの除去を通じたロック装置の許可されていないこじ開けは、発明によると、拘束部がその拘束位置を取り、これを通じてロック部材がロック位置に保持される結果となる。前述したアクセス可能なエレメントは規則として、外部的な影響からロック装置の筐体を分離し、あるいは鍵または電気的接続を通じたようなロック装置への定義されたアクセスを許可するように働く。
【００１０】
ロック装置は、ロック部材がアンロック位置に居るときにだけ機能のために本質的な部品からの筐体の分解または外部からアクセス可能な部品の除去を可能とするように構成されている。このアンロック位置においては、拘束部を拘束位置に移転することなしに外部からアクセス可能なエレメントを取り外すまたは除去することによって筐体を開けることができる。この場合、拘束部はロック部材を通じてまたは制御エレメントによって開放位置に保持される。外部からアクセス可能なエレメントを通じたロック装置の筐体のロックでさえも、ロック部材のアンロック位置においてのみ可能である。
【００１１】
前述した例示的実施形態によって、外部からアクセス可能なエレメントと拘束部の間に設けられこれらと機械的に相互作用する安全部を追加的に設けることができ、ここでアクセス可能なエレメントが筐体内部をロックし、ロック部材が筐体内に移動可能に配置される開放位置に休止位置における安全部が拘束部を保持していれば、アクセス可能なエレメントは安全部を休止位置に保持する。外部からアクセス可能なエレメントの許可されていない除去は、安全部が休止位置から安全オフ位置に移転され、これを通じて拘束部が開放位置から拘束位置に変化し、それによりロック部材が最終的にロック位置に拘束される結果となる。言及された安全部は例えば外部からアクセス可能な部品にスクリューで付けることができる。安全部が鋲連結または溶接連結によってアクセス可能なエレメントに恒久的に連結されることも同様に考えられる。安全部は締め金連結によってアクセス可能なエレメントに連結することもできる。安全部は一端においてそれによってそれが外部からアクセス可能なエレメントに連結される取り付けエリアを有する。取り付けエリアの反対の端においては、安全部の機能エリアが配置される。この機能エリアは拘束部に能動的に連結される。発明の考えられる展開では、その休止位置における安全部は、機能エリアを開放位置に嵌め合わされて相互に連結して持つ拘束部を保持する。外部からアクセス可能なエレメントの不適切な除去を通じて、より好ましくは機能エリアを持つ、安全部は拘束部から除去され、それを通じて安全部と拘束部の間の嵌め合いによる相互の連結が解除される。ロック装置の筐体の不適切なこじ開けまたは外部からアクセス可能なエレメントの除去を通じて、安全部はその休止位置から安全オフ位置に変化し、それを通じて拘束部はその拘束位置に移転される。対応する安全部はプレート部、より好ましくは穴あきのプレート部として設計することができる。安全部が主体的に、拘束部を嵌め合いによる相互の連結により開放位置に保持できるようになるために機能エリアのために固い先端部を持った安全ワイヤからなることも同様に考えられる。拘束部が安全部によって嵌め合いによる相互の連結によるものではない、および／または、嵌め合いによる相互の連結により開放位置に保持されることも同様に考えられる。拘束部の嵌め合いによる相互の連結によるものではない取り付けによって、安全部は例えば拘束部内に締め金で留めることができる。前述した通り、このようにして拘束部と外部的な影響から自由に保つために拘束部がロック装置の筐体内部にカプセル化された形で配置されることは実用的である。安全部だけが休止位置においてカプセル化を通して突出し、そこには安全部のために例えばスロット、ギャップまたは孔の形で裂け目を設けることができる。一旦拘束部がその拘束位置から移転されると、先に言及した裂け目を通した拘束部へのアクセスは回避されることが実用的である。この目的のために、拘束部は裂け目から離された拘束位置に保持される。
【００１２】
発明によるロック装置の実用的な展開によって、ばねエレメントから発生するばね力が拘束部に働き、それを通じて筐体が許可なしに開けられた場合に拘束部に開放位置から拘束位置への独立した変化が起こることが提供される。ここで、ばね力は拘束部を開放位置から拘束位置にずらす働きをする。これには例えばコイルばねまたは脚ばねを使うことができる。
【００１３】
最後に言及された脚ばねが採用されたとすると、拘束部は脚ばねによって拘束位置に留まるように嵌め合わされて相互に連結されて保持することができ、ここでばねの一部は、より好ましくは軸受けエレメントまたはロック装置の筐体の、肩部の背後でこの位置に留まるように嵌め合わされて相互に連結されて保持することができる。よって、ばねの言及された一部は、それが一旦肩部上を滑って肩部の背後に留まるように嵌め合わされて相互に連結されて保持されるとロック手段として働く。よって、拘束部も、もはや拘束位置から開放位置に移転することができない。
【００１４】
拘束部とばね、より好ましくは脚ばねの形のものは一つのピースとして設計されることも更に考えられる。従って、ばねを持った拘束部は一つの部品だけを形成し、それは均質な材料設計にすることができる。この組み合わされた拘束部（拘束部とばね）を通じて、開放位置から拘束位置への独立した変化が達成できる。実用的には、組み合わされた拘束部は第一と第二の脚をもった特別な形状の脚ばねとして設計される。第一の脚によって、特別な脚ばねは、例えばこのようにして第二の脚のための必要な締め付け力を発生するために、軸受けエレメントまたは筐体上にそれ自身を締め付けることができる。第二の脚は、ロック部材の嵌め合いによる相互の連結による拘束のために働き、この目的のために、第二の脚が拘束位置にあるならば、第二の脚は例えばロック部材の肩部または凹み部と嵌め合いにより相互に連結する弧形状突出部を持つことができる。この言及された突出部は脚ばねの第二の脚上に配置されたカムなどを通じて実現することもできる。加えて、組み合わされた拘束部の第二の脚はオフセット端を持つことができ、これは既に言及した安全部、より好ましくは動作領域または先端部を持ったもの、が第二の脚のオフセット端と嵌め合いによる相互に連結し、および／または、嵌め合いによる相互の連結によるものではなく相互作用するので、組み合わされた拘束部を開放位置に保持するのに適している。もしここで安全部が除去されると、第二の脚のオフセット端はもはや安全部、より好ましくは動作領域または先端部、によって保持されないので、第二の脚は自動的に開放位置から拘束位置に変化する。
【００１５】
加えてまたはオプションとして、例えば軸受けエレメント上または筐体内部上に、組み合わされた拘束部、より好ましくは第二の脚、を拘束位置に留まるように嵌め合わされて相互に連結されて固定する突出部を設けることができる。このために、先に言及した突出部はスライドと保持領域を持つことができ、ここでスライド領域は組み合わされた拘束部の第二の脚が突出部上を難なくスライドできること確かにするように働き、一方続く保持領域は第二の脚と拘束位置に留まるように嵌め合わされて相互に連結されて保持する目的のために働く。このために、突出部は例えば楔状に設計され、そこで傾いたように向けられている楔形の突出部の表面がスライド領域を構成し、楔形の突出部の垂直的に落ちて続く表面が保持領域を形成することができる。
【００１６】
組み合わされた拘束部の特別な実施形態によって、第一の脚は、それが嵌め合いによる相互の連結により、および／または、嵌め合いによる相互の連結ではなく組み合わされた拘束部の第二の脚をその開放位置に保持するように設計されることが追加的に考えられる。このために、第一の脚はオフセット端からなることができ、ここで加えて嵌め合いによる相互の連結により、および／または、嵌め合いによる相互の連結によるものではなく第二の脚を保持する目的のためにオフセット端にくぼみを設けることができる。安全部を除去することにより、優勢なばね力のため、第二の脚はそれから拘束位置へと変化するために第一の脚の間隙から動かされることができる。ここで、オフセット端を持った第一の脚は同様に第二の脚を拘束位置に留まるように嵌め合わされて相互に連結されて保持することができるので、嵌め合いによる相互の連結による保持のために更なる部品は要求されない。明らかに、言及された突出部をオプションとして設けることもでき、その結果として第二の脚は拘束位置に留まるように２度にわたり嵌め合わされて相互に連結されて保持される。
【００１７】
発明による装置の他のバージョンにより、拘束部は停止手段によって拘束位置に留まるように嵌め合わされて相互に連結されて保持される。この停止手段は例えば軸受けエレメントまたはロック装置の筐体上に配置されるか、またはこれに一体化されている。このバージョンにより、拘束部は開放位置から拘束位置への変化によって停止手段の背後で傾き、これを通じて拘束部との嵌め合いによる相互の連結が作り出される。この目的のために、拘束部は停止手段上のエッジからなることができる対向停止手段を有する。このようにして嵌め合いによる相互の連結により保持された拘束部は同様にロック装置の破壊を通じてのみ拘束位置から動かすことができる。ここでばねによって発生されたばね力が拘束部上に、例えば軸受けエレメントの（縦）軸に対角線的に働くことが考えられる。これを通じて、拘束部の傾斜動きを少なくとも拘束位置の領域にもたらすことができる。この場合、拘束部は例えば肩部の形の停止手段の背後で容易にずらすことができ、その結果として拘束部の拘束位置に留まるように嵌め合わされて相互に連結された保持が達成できる。オプションとして、傾けられた拘束部が拘束位置における斜面に対して確かに休止し、その結果として軸受けエレメントとの集中した接触が避けられ拘束部の拘束位置への確かな位置付けが起こることを提供することができる。
【００１８】
ロック装置の更なるバージョンにより、拘束部は少なくとも、より好ましくは拘束部上に直接的または間接的に配置された係合手段を通じて拘束位置に保持されることが提供される。この係合手段は少なくとも対向係合手段に留まるように嵌め合わされて相互に連結されるやり方で機械的に相互作用し、ここで対向係合手段はロック装置の筐体上または軸受けエレメント上に配置されている。例えば係合手段は対向係合手段に留まるように嵌め合わされて相互に連結される弾力性のあるプラスチックエレメントからなることができる。同様に、対応する対向係合手段と相互作用する、次々にあるおよび／または拘束部の異なる側面上にあるいくつかの係合手段を設けることができる。これを越えて、係合手段を、スケール状または楔形の切落しを対向係合手段に留まるように嵌め合わされて相互に連結される斜面形状の曲がりやすい肩部として展開することが考えられる。よって、対応する対向係合手段を持ったいくつかの係合手段は拘束部が間違いなく拘束位置に居ることを確かにできる。明らかに、設計としては、係合手段と対向係合手段の間で運動特性を反転することも可能である。このバージョンにより、拘束位置に到達するための拘束部の傾けは、必ずしもそうである必要はないが、省略することができるので、拘束部の単純な線形動きで十分である。
【００１９】
いくつかの外部からアクセス可能なエレメントが拘束部と能動的に連結することもできることが考えられる。このために、一緒に拘束部を拘束位置に保持するいくつかの安全部を採用することができる。安全部の一つが除去されたとすると、これは拘束部の拘束位置への再位置付けという結果になる。この目的のために、全ての採用された安全部はそれらの機能エリアにおいてお互いにしっかりと連結されることができる。
【００２０】
まとめると、前述した発明によるロック装置のバージョンと例示的実施形態を通じてシンプルで確固とした設計が呈示され、これを通じて発明によるロック装置のセキュリティを顕著に高めることができる。
【００２１】
発明の更なる対策と利点および技術的特徴は請求項、以下の記載と図面から得られる。以下の図面において、発明によるロック装置がいくつかの例示的実施形態において詳細に呈示される。
【発明を実施するための最良の形態】
【００２２】
図１にロック装置１０の本質的部分を概略的に示す。ここで、本ケースではステアリングホイールコラムとして設計されている、機能のために本質的な部品１１は、ロック装置１０のロック部材１５によってブロックされる。このために、ロック部材１５はロック位置にあり、そこで機能のために本質的な部品１１と機械的に能動的に連結されている。ロック部材１５自体はロック装置１０内に（図１の視点からは）垂直にずらすことができるように配置されている。ロック部材１５の実際の動きは制御エレメント１７を介してもたらされる。ロック部材１５が制御エレメント１７の全ての相対的な動きに追従しないようにするため、ばねエレメント１６が制御エレメント１７とロック部材１５の間に配置されている。このばねエレメント１６は、ロック部材１５が現在ロック位置Ｉａにおいて肩部１１．１を押しているならば、機能のために本質的な部品１１の凹み部１１．２にロック部材１５を押す働きがある。もしここで機能に本質的な部品１１が少し回されると、ばね１６はロック部材１５を制御エレメント１７から離すように押し、それが凹み部１１．２に達してこれにより機能のために本質的な部品１１との嵌め合いによる連結に入ることになる。制御エレメント１７自体は直接的または間接的に更なる部品またはギヤを介しモーターまたはメカニズムを介して稼動または移動される。
【００２３】
筐体１２を持ったロック装置１０全体は、機能のために本質的な部品１１に静止した形で配置されている。実装および修理の目的で、筐体１２は筐体蓋１４または閉止部１４が設けられており、これは例えば外部からアクセス可能なエレメント１４を表し、これを通して筐体内部１２．１がアクセス不能になる。
【００２４】
本ロック装置１０の（こじ開け）セキュリティを高めるために、拘束部１８が備えられている。この拘束部１８は本ケースでは安全部２１を介して開放位置ＩＩＩｂに保持されている。安全部２１自体は閉止部１４に恒久的に連結された角度付き形状のプレートスタンピングからなる。このために、安全部２１は、その取り付けエリア２１．１によって閉止部１４と嵌め合いによる相互の連結、嵌め合いによる相互の連結ではない連結、および／または物質的な連結をすることができる。安全部２１の他の端、即ち機能エリア２１．２または先端部２１．２により、ロック部１８は開放位置ＩＩＩｂに保持される。この目的のために、機能エリア２１．２を持った安全部２１は狭い裂け目またはスロットを通して拘束部１８のくぼみ１８．３に突き出ている。よって、拘束部１８も安全部２１を通して開放位置ＩＩＩｂに嵌め合いによる相互の連結によるものではないもの、および／または、嵌め合いによる相互の連結により保持される。
【００２５】
筐体１２を許可なしにまたは力ずくで開けることを通じて、閉止部１４をもった安全部２１が除去され、その結果それがその休止位置ＩＩａから安全オフ位置ＩＩｂに変わる。この休止位置ＩＩｂの変更は、拘束部１８もその開放位置ＩＩＩｂからその拘束位置ＩＩＩａに変わる結果となる。この目的のために、圧縮ばねとして展開されたばねエレメント１９が設けられ、拘束部１８に要求されるばね力がかけられる。
【００２６】
更に図１から明らかなように、拘束部１８はロック装置１０の筐体１２内に完全にカプセル化されている。下から、拘束部１８は追加の軸受けエレメント２０を通して保護され、上から、拘束部１８は筐体１２本体の一部を通して埋めこまれる。筐体１２の小さな裂け目を通してのみ、拘束部１８へのアクセスが可能である。もし筐体１２が不適切に開けられると、安全部２１はこれにより休止位置ＩＩａから安全オフ位置ＩＩｂに動かされ、そこではもはや拘束部１８とは能動的に連結はされなくなる。この場合安全部２１はもはや筐体１２の裂け目から突き出さなくもなる。従って、拘束部１８もその開放位置ＩＩＩｂからその拘束位置ＩＩＩａに変わる。拘束位置における拘束部１８は嵌め合わされて相互に連結されて保持されるので、上部の裂け目を通して拘束部１８の位置の変化を引き起こすことももはやできなくなる。従って、ロック装置１０全体を完全に破壊して、機能のために本質的な部品１１とのロックエレメント１５のロックを解除することだけができる。
【００２７】
図1から７ｂに示された例示的実施形態では、拘束部１８はロック部材１５に間接的に働いて必要あれば該ロック部材をロック位置１ａに保持する。この目的のために、拘束部１８はこれによってロック部材１５をずらすことができないようにロック位置Ｉａに留まるように保持するために追加に設けられた制御エレメント１７と嵌め合いによる相互の連結に入る。これは明らかに拘束部１８がその拘束位置ＩＩＩａを取る限りにおいてのみそのようになる。拘束部１８が開放位置ＩＩＩｂに配置されていれば、ロック装置１０の通常の機能、より好ましくはロック部材１５、は拘束部１８を通じて影響されないので、それはそのアンロック位置Ｉｂにおいても移動可能になる。
【００２８】
図２ａには、拘束位置ＩＩＩａにおける拘束部１８がどのように制御エレメント１７との嵌め合いによる相互の連結に入るかの詳細が示されている。この目的のために、拘束部１８は、制御エレメント１７内のくぼみ１７．１と嵌め合いによる相互の連結をもたらす、突出したピン１８．１を有する。従って、示された拘束部１８の位置ＩＩＩａにおける制御エレメント１７は、ロック装置１０内に移動不能に保持される。この結果、ロック部材１５はロック位置Ｉａからもはや動かすことができない。リング形状の制御エレメント１７において、ロック部材１５を収容するように長方形のガイド１７．２が設けられ、そこでロック部材１５自体がずらすことができるように保持される。ロック部材１５は、制御エレメント１７内の図示されていない保持ピンによって保持されることがオプションとして可能である。この目的のために、制御エレメント１７内にくぼみ１７．３を設けることができる。言及されたロック部材１５も同様に図２には図示されていない。拘束部１８と制御エレメント１７の間の既存の嵌め合いによる相互の連結をより見えやすくするために、少なくとも制御エレメント１７は断面図として示されている。
【００２９】
更に図２ａから明らかなように、拘束部１８はＬ字型に展開されている。ここで、拘束部１８は制御エレメント１７を拘束するように働き、また拘束部１８を案内するための既に言及されたピン１８．１と、くぼみ１８．３または凹み部１８．３が追加に設けられたベース１８．２からなる。くぼみ１８．３は安全部２１、より好ましくは安全部２１の休止位置ＩＩａと拘束部１８の開放位置ＩＩＩｂにおける機能エリア２１．２、を嵌め合わされて相互に連結されて収容するように働く。図２において、拘束部１８は拘束位置ＩＩＩａに示されている。ここで、拘束部１８はばねエレメント１９を通して軸受けエレメント２０の右エッジに対してずらされている。軸受けエレメント２０は、予め組み立てられた拘束部１８とともに、スクリュー連結や鋲連結などを通してロック装置１０の筐体１２に機械的に取り付けることができる。更に、軸受けエレメント２０は、それを通して拘束部１８が拘束位置ＩＩＩａに嵌め合わされて相互に連結されて保持される、肩部の形の停止手段２０．２を少なくとも有する。この目的のために、拘束部１８本体は対向停止手段１８．４を備えている。この対向停止手段１８．４は、例えば、より好ましくは拘束部１８上の長方形エッジを通して展開されることができる。図５には、拘束部１８の嵌め合いによる相互の連結の第一バージョンが更に詳細に示されている。
【００３０】
図２ｂから明らかになるように、拘束部１８は初期には開放位置ＩＩＩｂから線形的に移動され（移動方向２０．１０）、その後拘束位置ＩＩＩａに到達するために僅かに傾けられる。この過程において、その移動のスペース２０．７の端における拘束部１８は縦軸２０．８に対角線状に旋回させられる。拘束位置ＩＩＩａにおいて、拘束部１８は、この目的のために設けられた軸受けエレメント２０の斜面２０．９上の大きな表面エリアに休止する。加えて、図２ｂは拘束部１８のピン１８．１と軸受けエレメント２０のガイド領域２０．１との間の遊びをはっきりと示している。拘束位置ＩＩＩａにおいて、拘束部１８は停止手段２０．２の背後で傾けられる。
【００３１】
図５から、どのように軸受けエレメント２０における拘束部１８の縦のずらしが、拘束部１８の傾斜動きとなるかが明らかになる。ここで、拘束部１８は、これにより拘束位置ＩＩＩａにおいて望まれる嵌め合いによる相互の連結を得るために約３°から３０°、好ましくは５°と２０°の間、より好ましくは１０°の角度で軸受けエレメント２０において傾けられる。拘束部１８の実際の縦の動きは圧縮ばね１９によってもたらされる。一方で軸受けを保持するための圧縮ばね１９は軸受けエレメント２０における収容部２０．３に、他方において拘束部１８の裂け目に、嵌め合わされて相互に連結されて配置される。オプションとしてまたは追加として、このようにしてばねエレメント１９の確保された位置をもたらすために、軸受けエレメント２０または拘束部１８の肩部が内側からコイルばね１９に係合できる。拘束部１８がその拘束位置ＩＩＩａに傾けられることができるために、拘束部１８の軸受けに遊びが設けられている。加えて、ばねエレメント１９は拘束部１８に働いて、それが拘束部１９を停止手段２０．２の背後でずらすようにする。このために、ばねエレメント１９の接触点は拘束部１８の実際の傾斜点から遠く離して位置しており、ここで接触点は停止手段２０．２の近くに配置される。拘束部１８の傾斜点はピン１８．１のエリアに略中心的に位置している。拘束部１８のよりよい案内のため、より好ましくは拘束位置ＩＩＩａにおいてピン１８．１を介して拘束部１８を案内するため、軸受けエレメント２０上にガイドエリア２０．２が追加的に設けられている。加えて、軸受けエレメント２０上の追加のガイドエリア２０．２はまた拘束部１８の筐体１２内へのカプセル化のためにも働く。図５に示された拘束位置ＩＩＩａから明らかな通り、停止手段２０．２と対向停止手段１８．４の間の嵌め合いによる相互の連結によってこれが阻止されるので、拘束部１８は外部の影響を通じて元の開放位置ＩＩＩｂにはもはや動かすことができない。図２ｂからのロック装置１０のバージョンと対照的に、本バージョンの拘束部１８には斜面が設けられており、その結果大きな停止表面が同様に作り出されているので、軸受けエレメント２０には斜面２０．９が存在しない。
【００３２】
図３に、機能のために本質的な発明の部品の三次元概略図を開示する。向上された概観のために、筐体１２と外部からアクセス可能なエレメント１４の呈示は省略された。図示されていない外部からアクセス可能なエレメント１４と連結されている安全部２１は、その休止位置ＩＩａに呈示されている。ここで、それは拘束部１８を開放位置ＩＩＩｂに保持するので、ロック部材１５が制御エレメント１７によって自由に稼動できる。図３において、停止手段２０．２との嵌め合いによる相互の連結の第一バージョンが示されている。正確な機能は既に図２と５によって説明されている。図３から、安全部２１が休止位置ＩＩａから安全オフ位置ＩＩｂに移転される限りにおいてどのような動きのシーケンスが取られるかが明らかになる。この場合、安全部２１の先端部２１．２と拘束部１８の間の嵌め合いによる相互の連結、より好ましくはくぼみ１８．３は解除されるのでばねエレメント１９が拘束部１８を拘束位置ＩＩＩａに動かす。図３によって、どのように拘束部１８が軸受けエレメント２０の横の壁を通じてカプセル化された形で取り囲まれているかをはっきりと見ることができる。筐体１２上または内に軸受けエレメント２０をしっかりと配置するために、載置用のアーチ状のエリアが設けられている。
【００３３】
図４ａ、４ｂに拘束部１８を拘束位置ＩＩＩａに保持するための嵌め合いによる相互の連結を形成する第二バージョンが示されている。両方の図（図４ａと４ｂ）において、それぞれの拘束部１８は開放位置ＩＩＩｂに示されている。休止位置ＩＩａにおける安全部２１も鎖線で描き込まれている。安全部２１の除去を通じて、拘束部１８は提供された圧縮ばね１９を通じて軸受けエレメント２０内で縦にずらされる。ここで、係合手段１８．５は、それが対向係合手段２０．５の背後に来るまで、軸受けエレメント２０の対向係合手段２０．５に沿ってスライドする。明らかに、次々にあるかまたは拘束部１８の左右側にあるいくつかの係合手段１８．５が、軸受けエレメント２０の対応する対向係合手段２０．５と共に働くことができる。示された対向係合手段２０．５は、それに沿って柔軟に展開された靭帯形係合手段１８．５が傾いたガイド表面をスライドできる楔形肩部または斜面形肩部からなる。ここで、曲がりやすいまたは弾力性のある係合手段１８．５は楔形肩部２０．５を通過するために押される。係合手段１８．５が肩部２０．５を通過すると直ちに、それは外部に再び跳ね返って拘束位置ＩＩＩａにおける拘束部１８の確かな取り付けのための恒久的で嵌め合いによる相互の連結を形成する。この時点で言及すべきなのは、対向係合手段２０．５と係合手段１８．５は、明らかに互いに反転した運動特性に展開することもできることである。係合手段１８．５が拘束部１８に載置されたプラスチック部からなることも考えられる。既に言及したとおり、拘束部１８全体が成形されたプラスチック部からなることもできる。図４ｂにおいて、アーチ形状または棘型の係合手段１８．５が使われるが、これはそれ以外は図４ａからの係合手段１８．５と同じ機能を有する。
【００３４】
図６ａ、６ｂに拘束部１８の嵌め合いによる相互の連結のための第三バージョンが示されている。ここで、脚形のばね２２が使われ、これは例えば保持ピン２０．６を介して軸受けエレメント２０に固定されている。この保持ピン２０．６は軸受けエレメント２０の取り付けのための保持スクリューを通して実現することもできる。言及された脚ばね２２は同様に軸受けエレメント２０における拘束部１８の縦のずらしを確かなものとする。このバージョンでは、拘束部１８は軸受けエレメント２０との嵌め合いによる相互の連結に直接的には入らないが、脚ばね２２によって嵌め合いによる相互の連結が形成される。脚ばね２２自体は第一の脚２２．１と第二の脚２２．２を有する。第一の脚２２．１は軸受けエレメント２０に対してしっかりと休止する。ここで、第一の脚２２．１はより短く設計することができる。これに対して第二の脚２２．２は拘束部１８に相当することができるためにより長く設計される。脚２２．２の鎖線による呈示では、拘束部１８も開放位置ＩＩＩｂに位置していおり、それはそこで安全部２１によって保持される。安全部２１が一旦除去されると、第二の脚２２．２は拘束部１８を拘束位置ＩＩＩａに押す。この過程で、端を持った第二の脚２２．２は、軸受けエレメント２０上に配置されているか、一体的になった斜面形肩部２０．４の上を走る。図６ｂからの断面図では、軸受けエレメント２０の下側エッジと平行に走るオフセット部分が示されている。拘束部１８の開放位置ＩＩＩｂにおける第二の脚２２．２の位置と拘束位置ＩＩＩａも表示されている。図６ｂから明らかになる通り、第二の脚２２．２が斜面形肩部２０．４の背後に嵌め合わされて相互に連結されて配置されるので、拘束部１８はもはや拘束位置ＩＩＩａからその元の開放位置ＩＩＩｂにずらすことができない。
【００３５】
最後の図７ａ、７ｂは発明によるロック装置１０の第四バージョンを、一方で開放位置ＩＩＩｂにおいて（図７ａ）、もう一方で拘束位置ＩＩＩａにおいて（図７ｂ）示しており、ここで拘束部１８と軸受け部２０はスペースを節約するやり方で設計されている。このために、他のバージョンでのものより明らかにより狭い拘束部１８が採用されて、移動のスペース２０．７が最小化された。明らかにこの狭い設計は残りのバージョンに転用することもできる。加えて、圧縮ばね１９の形で存在しているばねエレメント１９は軸２０．８と対角線的に拘束部１８に働いて、この結果として拘束位置ＩＩＩａへの傾斜動きが達成される。拘束部１８の移動の長さも同様に最小化でき、この結果としてスペースを追加的に節約できる。明らかに本バージョンは、軸受けエレメント２０上の停止斜面２０．９を備えることもできる。
【００３６】
図８ａ、８ｂは発明の更なる実施形態を示す。ここで、拘束部１８はばね１９と組み合わされて、それが一つのピースおよび／または同じ材料で体現されるようになっている。ここで、ばね１９はそれ自体脚ばね２２として設計され、第一の脚２２．１と第二の脚２２．２からなる。第一の脚２２．１によって、それにより要求されるばね力を第二の脚２２．２に伝達できるようになるために、組み合わされた拘束部１８，１９はそれ自身を軸受けエレメント２０または筐体内部１２．１に締め付ける。本発明の他の実施形態と対照的に、第二の脚２２．２はロック部材１５の拘束位置ＩＩＩａへの直接保持のために働く。このために、第二の脚２２．２は例えば示された弧形状突出部２２．６からなる。ロック部材１５と嵌め合わされて相互に連結される、比較可能なカムを第二の脚２２．２上に配置することも同様に考えられる。図８から１０のロック部材１５は、そのロック位置１ａに示されている。加えて、ロック部材１５は組み合わされた拘束部１８，１９の第二の脚２２．２が嵌め合わされて相互に連結されるようなやり方で入ることができる肩部１５．１または凹み部１５．１を有する。加えて、組み合わされた拘束部１８，１９は開放位置ＩＩＩｂと拘束位置ＩＩＩａの両方で図８から１０に示されており、そこでは但し鎖線だけである。同様に存在する安全部２１は、図８から１０のそれぞれでは休止位置ＩＩａに配置されている。
【００３７】
図８ａは追加的に軸受けエレメント２０上に斜面形状または楔形に設けられた突出部２０．４を示す。この突出部２０．４はスライド領域２０．４ａと保持領域２０．４ｂを有する。スライド領域２０．４ａは楔または斜面形に設計されており（図８ｂ参照）、組み合わされた拘束部１８，１９の第二の脚２２．２が拘束位置ＩＩＩａに変化するために開放位置ＩＩＩｂから該スライド領域上を容易にスライドできる。第二の脚２２．２が一旦スライド領域２０．４ａの端に到達すると（図８ｂにおける２０．４の最大上昇または突出部の先端部を参照）、第二の脚２２．２は保持領域２０．４ｂと平行にスライドして、軸受けエレメント２０上に休止する。保持領域２０．４ｂが嵌め合わされて相互に連結されるように第二の脚２２．２を拘束位置ＩＩＩａに保持するので、組み合わされた拘束部１８，１９が嵌め合わされて相互に連結されるようにロック部材と相互作用するこの拘束位置ＩＩＩａから、第二の脚２２．２はもはや開放位置ＩＩＩｂを得るために動かして戻すことができない。保持領域２０．４ａは実質的に軸受けエレメント２０の表面と直交的に向いており、その上で第二の脚２２．２が拘束位置ＩＩＩａに休止するようになる。
【００３８】
図８ｂと図９から明らかに見られるように、その弧形状突出部２２．６を持った第二の脚２２．２はロック部材１５内の肩部または凹み部１５．１と嵌め合わされて相互に連結され、ロック部材１５自体はもはやロック位置Ｉａからアンロック位置Ｉｂに移転することができなくなる。本ロック装置１０の強度を高めるために、ロック部材１５は軸受けエレメント２０によって形成されるほぼ閉じた補強リムによって取り囲まれている。第二の脚２２．２の突出部２２．６の動作領域においてのみ、この補強リムは中断される。図８ｂからの示されたセクションでは、軸受けエレメント２０内の補強リムはロック部材１５の直ぐ隣に明らかに見ることができる。
【００３９】
図１０は組み合わされた拘束部１８，１９を持った発明の更なる例示的実施形態を示す。向上された明確さのため、（組み合わされた拘束部１８，１９を形成する）特別な脚ばね２２の技術的詳細が見えるようにするため軸受けエレメント２０は部分的に断面で示されている。本バージョンによって、第二の脚２２．２は、第一の脚２２．１のオフセット端２２．３を通じて拘束位置ＩＩＩａに嵌め合わされて相互に連結されるように保持される。よって、本組み合わされた拘束部１８，１９はそれ自身を拘束位置ＩＩＩａに留まるように嵌め合わされて相互に連結されるように保持する。オプションとして組み合わされた拘束部１８，１９を拘束位置ＩＩＩａに保持するための既に言及した突出部２０．４を設けることができる。
【００４０】
開放位置ＩＩＩｂにおいて、組み合わされた拘束部１８，１９の第二の脚２２．２は、安全部２１の動作領域２１．２と嵌め合わされて相互に連結されるオフセット端２２．４によって保持される。この安全部２１は、開放位置ＩＩＩｂにおいて、上から働く図３からの例示的実施形態と対照的に、組み合わされた拘束部１８，１９を下から保持する。もしここで、図１０からの本ケースにおいて下向きの動きを通じて起きるように安全部２１が除去されると、第二の脚２２．２は自動的にそれ自身を開放位置ＩＩＩｂから拘束位置ＩＩＩａに押す。第二の脚２２．２のオフセット端２２．４のために軸受けエレメント２０内にスペースが設けられているようにするために、寛大な間隙または穴が設けられている。開放位置ＩＩＩｂにおいて、第二の脚２２．２は第一の脚２２．１の下に横たわり、ここで第一の脚２２．１のオフセット端２２，３にくぼみ（２２．５）を追加的に設けることができる。一旦第二の脚２２．２が開放位置ＩＩＩｂから拘束位置ＩＩＩａに動くと、それはオフセット第一の脚２２．１のカットオフ端２２．３に垂直に当るので、それはもはや開放位置ＩＩＩｂに動いて戻ることができない。
【００４１】
図１０からの例示的実施形態へのオプションとして、第二の脚２２．２も比較可能なくぼみ２２．５を持つようにでき、一方第一の脚２２．１はくぼみ２２．５なしに体現することができる。示されたくぼみ２２．５は完全に省略することもでき、この結果として組み合わされた拘束部１８，１９の動作は損なわれない。加えて、突出部２０．４を配置することもでき、これは図１０にそれに従って鎖線で示されている。
【００４２】
脚ばね２２として設計された、組み合わされた拘束部１８，１９は、既に言及した保持ピン２０．６によって軸受けエレメント２０内に配置される。特別な脚ばね２２が軸受けエレメント２０上に確かに保持されるために、保持ピン２０．６上にロックワッシャー、締め金リング、ナットなどの形の保持手段２３を追加的に設けることができる。この追加の保持手段２３を通じて、特別な脚ばね２２は嵌め合いによる相互の連結、および／または、嵌め合いによる相互の連結ではないやり方で軸受けエレメント２０上に確かに位置付けることができる。
【００４３】
脚ばね２２の第二の脚２２．２が第一の脚２２．１によって開放位置ＩＩＩａに押し下げられることも同様に考えられる。このために、第一の脚２２．１は、それが軸受けエレメント２０のベースに実質的に平行に体現された領域からなり、その上に第二の脚２２．２が休止するかまたはそれに渡って第二の脚２２．２が案内されるように、角度をずらして体現することができる。この第一の脚２２．１の平行領域は、意図していない組み合わせ拘束部１８，１９を通じたロック部材１５の拘束、より好ましくは脚ばね２２の第二の脚２２．２、が衝撃、振動またはその他の外部的影響を通しても確かに回避されるように、第二の脚２２．２を押し下げるために利用することができる。ここで、もしも脚ばね２２の材料が年を経て疲労すべきで、この場合にはばね力が減衰すべきであるとしても、既に言及したように平行領域を持った第一の脚２２．１が開放位置ＩＩＩｂに第二の脚２２．２を保持するおよび／または信頼性を持って押し下げるように、それ自身を（例えば軸受けエレメント２０の）くぼみまたは肩部に締め付けるために第一の脚２２．１の端２２．３を追加的に利用することも更に考えられる。一般にばねエレメント１９または脚ばね２２のばね力は、安全部２１が休止位置ＩＩａから除去された時にそれが常に信頼性を持って（アクティブな）第二の脚２２．２を開放位置ＩＩＩｂから拘束位置ＩＩＩａに移転するように設計される。それが開放位置ＩＩＩｂから拘束位置ＩＩＩａに変化するように、もし組み合わされた拘束部１８，１９がここでトリガーされるべきであると、第二の脚２２．２は第一の脚２２．１の平行領域の背後を動いて、脚２２．１を更に角度をずらすことを通じて作り出すことができる第一の脚２２．１の端２２．３における既存の肩部を通して拘束位置ＩＩＩａに留まるように嵌め合いにより相互に連結されて保持されることができる。このバージョンによっても、第一の脚２２．１を通じてだけでなく、追加的に突出部２０．４を通じても脚ばね２２の第二の脚２２．２を嵌め合いによる相互の連結により拘束するために、突出部２０．４（図８ａから１０参照）を追加的に設けることができる。第二の脚２２．２を嵌め合いによる相互の連結により拘束するために突出部２０，４だけを設けることも可能である。この場合、脚２２．１の追加的な角度のずらしは省略することができる。
【００４４】
最後に、ここに示した発明によるロック装置１０の例示的実施形態とバージョンは、より好ましくはそれらがそれら自身を明示的に排除しないとして、拘束位置ＩＩＩａに拘束部１８を嵌め合いによる相互の連結により拘束するためのあらゆるやり方によってお互いに組み合わせることができることに言及しなければならない。
【図面の簡単な説明】
【００４５】
【図１】機能のために本質的な部品と能動的に連結された、発明によるロック装置の概略断面図。
【図２ａ】制御エレメントとの拘束位置にある拘束部の第一バージョンの三次元図。
【図２ｂ】制御エレメントとの拘束位置にある図２ａからの拘束部の比較可能なバージョンの上面図。
【図３】拘束部が開放位置に配置されている、互いに能動的に連結された発明によるロック装置の最重要部品の三次元図。
【図４ａ】横向けに配置された靭帯形状の係合手段を持つ、ずらすことができるように載置された拘束部の第二バージョンの上面図。
【図４ｂ】係合手段が斜面状に展開された、拘束位置にある図４ｂからの同様な拘束部の上面図。
【図５】図３、４のようにずらすことができるように載置されているが、停止手段または対向停止手段を持った拘束部の上面図。
【図６ａ】脚ばねを介して拘束位置に保持された、更なる拘束部の上面図。
【図６ｂ】脚ばねのばね動程がスケッチされて示された、図６ａの断面図。
【図７ａ】対角線状に稼動するばねが開放位置にある、追加の拘束部の上面図。
【図７ｂ】拘束位置にある、図７ａからの追加の拘束部の上面図。
【図８ａ】特別な脚ばねの形に設計された、組み合わされた拘束部（拘束部とばね）の上面図。
【図８ｂ】組み合わされた拘束部のばね動程が鎖線で示された、図８ａの断面図。
【図９】図８ａ、８ｂからの組み合わされた拘束部の三次元図。
【図１０】それ自身を嵌め合いによる相互の連結により拘束位置に確保する、組み合わされた拘束部の更なる例示的実施形態の三次元図。
【符号の説明】
【００４６】
１０        ロック装置
１１        機能に本質的な部品
１１．１    肩部
１１．２    凹み部
１２        筐体
１２．１    筐体内部
１３        １５のための筐体内の開口部
１４        例えばロックシリンダー、閉止部、筐体蓋などのような外部からアクセス可能なエレメント
１５        ロック部材
１５．１    肩部―凹み部
１６        ばねエレメント
１７        制御エレメント
１７．１    １８のためのくぼみ
１７．２    １５のためのガイド
１７．３    保持ピンのためのくぼみ
１８        拘束部
１８．１    ピン
１８．２    ベース
１８．３    ２１のためのくぼみ
１８．４    ２０．２に対するエッジ／対向停止手段
１８．５    ２０．５に対する係合手段
１９        ばねエレメント
２０        軸受けエレメント
２０．１    １８のための、より好ましくは１８．１のための、ガイドエリア
２０．２    停止手段
２０．３    １９のための収容部
２０．４    （斜面形状の）突出部または肩部
２０．４ａ  スライド領域
２０．４ｂ  保持領域
２０．５    １８．５に対する対向係合手段
２０．６    ２２のための保持ピン
２０．７    移動１８のスペース
２０．８    縦軸
２０．９    斜面
２０．１０  移動１８の方向
２１        安全部
２１．１    取り付けエリア
２１．２    機能エリア／先端部
２２        脚ばね
２２．１    第一の脚
２２．２    第二の脚
２２．３    ２２．１のオフセット端
２２．４    ２２．２のオフセット端
２２．５    ２２．２のための間隙
２２．６    ２２．２に対する弧形状突出部
２３        保持手段
ロック部材１５
Ｉａ        ロック位置についてのシンボル
Ｉｂ        アンロック位置についてのシンボル
安全部２１
ＩＩａ      休止位置についてのシンボル
ＩＩｂ      安全オフ位置についてのシンボル
拘束部１８
ＩＩＩａ    拘束位置についてのシンボル
ＩＩＩｂ    開放位置についてのシンボル
【図１】
0005449711.tif 000002
【図２ａ】
0005449711.tif 000003
【図２ｂ】
0005449711.tif 000004
【図３】
0005449711.tif 000005
【図４ａ】
0005449711.tif 000006
【図４ｂ】
0005449711.tif 000007
【図５】
0005449711.tif 000008
【図６ａ】
0005449711.tif 000009
【図６ｂ】
0005449711.tif 000010
【図７ａ】
0005449711.tif 000011
【図７ｂ】
0005449711.tif 000012
【図８ａ】
0005449711.tif 000013
【図８ｂ】
0005449711.tif 000014
【図９】
0005449711.tif 000015
【図１０】
0005449711.tif 000016